(57)【要約】      （修正有）【課題】使用者の異なる使用ニーズを満たすことのできる鞄を提供する。【解決手段】第１袋体１と第２袋体２と連結部３と第１結合部４１と第２結合部４２と、を含む鞄であって、連結部３は該第１袋体１の第１側辺１ａと該第２袋体２の第１側辺２ａに連結し、第１結合部４１が該第１袋体１の第２側辺１ｂに形成され、第２結合部４２が該第２袋体２の第２側辺２ｂに形成され、該第２結合部４２の結合部材４２１が該第１結合部４１の結合部材４１１と分離自在に結合し、第１係合部５０が該連結部３に設けられ、第２係合部５１が該第１結合部４１又は第２結合部４２に設けられ；該第１係合部５０の第１係合部材５０１は、該第２係合部５１の第１係合部材５１１と分離自在に係合し、該第１係合部５０の第２係合部材５０２が該第２係合部５１の第２係合部材５１２と分離自在に係合する。【選択図】図１ａ
0003210325.tif 000002
【実用新案登録請求の範囲】
【請求項１】
対向する第１側辺と第２側辺とを備える第１袋体と、
対向する第１側辺と第２側辺とを備える第２袋体と、
前記第１袋体の第１側辺と前記第２袋体の第１側辺に連結する連結部と、
前記第１袋体の第２側辺に形成され、結合部材を備える第１結合部と、
前記第２袋体の第２側辺に形成し、結合部材を備え、前記結合部材が前記第１結合部の結合部材と分離自在に結合する第２結合部と、
前記連結部に設けられ、前記連結部の対向両側に設けられる第１係合部材と第２係合部材とを備える第１係合部と、
前記第１結合部又は第２結合部に設けられ、前記第１結合部又は第２結合部の対向両側に設けられる第１係合部材と第２係合部材とを備える第２係合部と、を含む鞄において、
前記第１係合部の第１係合部材は、前記第２係合部の第１係合部材と分離自在に係合し、前記第１係合部の第２係合部材が前記第２係合部の第２係合部材と分離自在に係合することを特徴とする鞄。
【請求項２】
前記第１袋体は、対向する第３側辺と第４側辺とを更に備え、前記第２袋体が対向する第３側辺と第４側辺とを更に備え、且つ前記第１袋体の第３側辺或いは第４側辺及び前記第２袋体の第３側辺或いは第４側辺に第１開口部を設けることを特徴とする請求項１に記載の鞄。
【請求項３】
開閉アセンブリを更に含み、前記開閉アセンブリが該第１開口部に開閉自在に設けられることを特徴とする請求項２に記載の鞄。
【請求項４】
２つの持ち手部を更に含み、前記第１袋体が第１側面と第２側面とを更に備え、前記第２袋体が第１側面と第２側面とを更に備え、且つ前記２つの持ち手部は各々前記第１袋体の第１側面及び前記第２袋体の第１側面に設けられ、又は各々前記第１袋体の第２側面及び前記第２袋体の第２側面に設けられることを特徴とする請求項１に記載の鞄。
【請求項５】
ショルダーベルトを更に含み、前記第１袋体が第１側面と第２側面とを更に備え、前記第２袋体が第１側面と第２側面とを更に備え、且つ前記ショルダーベルトが前記第１袋体の第１側面或いは前記第２袋体の第１側面に設けられ、又は前記第１袋体の第２側面或いは前記第２袋体の第２側面に設けられることを特徴とする請求項１に記載の鞄。
【請求項６】
第２開口部を更に含み、前記第１袋体が第１側面と第２側面とを更に備え、前記第２袋体が第１側面と第２側面とを更に備え、且つ前記第２開口部が前記第１袋体の第１側面或いは前記第２袋体の第１側面に設けられ、又は前記第１袋体の第２側面或いは前記第２袋体の第２側面に設けられることを特徴とする請求項１に記載の鞄。
【請求項７】
第３係合部と第４係合部とを更に含み、前記第１袋体が第１側面と第２側面とを更に備え、前記第２袋体が第１側面と第２側面とを更に備え、且つ前記第３係合部及び第４係合部が各々前記第１袋体の第１側面及び前記第２袋体の第１側面に設けられ、又は各々前記第１袋体の第２側面及び前記第２袋体の第２側面に設けられることを特徴とする請求項１に記載の鞄。
【請求項８】
ポケットを更に含み、前記第１袋体が第１側面と第２側面とを更に備え、前記第２袋体が第１側面と第２側面とを更に備え、且つ前記ポケットが前記第１袋体の第１側面或いは前記第２袋体の第１側面に設けられ、又は前記第１袋体の第２側面或いは前記第２袋体の第２側面に設けられることを特徴とする請求項１に記載の鞄。
【請求項９】
前記第１結合部又は前記第２結合部の内部には収容空間を有し、且つ前記第２係合部が前記第１結合部又は第２結合部の収容空間内に移動自在に設けられることを特徴とする請求項１に記載の鞄。
【請求項１０】
前記連結部の内部には、収容空間を有することを特徴とする請求項１に記載の鞄。
【請求項１１】
バックル付バンドを更に含み、前記第１袋体が第１側面と第２側面とを更に備え、前記第２袋体が第１側面と第２側面とを更に備え、且つ前記バックル付バンドが前記第１袋体の第１側面或いは該第２袋体の第１側面に設けられ、又は前記第１袋体の第２側面或いは前記第２袋体の第２側面に設けられることを特徴とする請求項１に記載の鞄。
【考案の詳細な説明】
【技術分野】
【０００１】
本考案は、荷物を収容するために用いる鞄に関する。
【背景技術】
【０００２】
人々の荷物を携帯又は収容する利便性を満たすため、従来技術では、様々な鞄が提供され、且つ使用形態或いは様式の違いにより、大まかにショルダーベルトのあるリュックサック（例えばランドセル若しくはスポーツリュックサック）、持ち手部のあるハンドバック（例えばブリーフケース又はトートバック）、或いはショルダーベルト若しくは持ち手部のないポーチ（例えば小銭入れ又は化粧ポーチ）等に分類できる。
【０００３】
しかしながら、異なる使用目的により、異なる生活又は仕事のニーズを満たすため、人々は異なるタイプの鞄を用意する。相対的に、鞄を設計や製作する業者も使用者の各種異なるニーズによって異なる用途或いは構造の鞄を設計や製造して使用者のニーズを満たす。
【０００４】
しかしながら、種類の異なる鞄が多すぎると、使用者にとって逆に困ることになる。例を挙げると、使用者が異なる荷物を携帯又は収容する場合、数個の異なる鞄を用意並びに携帯しなければならず、使用上の利便性も相対的に下がってしまう。
【０００５】
よって、使用者の異なる使用ニーズを満たすことのできる鞄を提供することが急務である。
【考案の概要】
【考案が解決しようとする課題】
【０００６】
前記従来技術の問題点を解決するため、本考案は鞄を提供することを目的とする。
【課題を解決するための手段】
【０００７】
上記目的を達成するため、本考案に係る鞄は、対向する第１側辺と第２側辺とを備える第１袋体と、対向する第１側辺と第２側辺とを備える第２袋体と、該第１袋体の第１側辺と該第２袋体の第１側辺に連結する連結部と、該第１袋体の第２側辺に形成され、結合部材を備える第１結合部と、該第２袋体の第２側辺に形成し、結合部材を備え、該結合部材が該第１結合部の結合部材と分離自在に結合する第２結合部と、該連結部に設けられ、該連結部の対向両側に設けられる第１係合部材と第２係合部材とを備える第１係合部と、該第１結合部又は第２結合部に設けられ、該第１結合部又は第２結合部の対向両側に設けられる第１係合部材と第２係合部材とを備える第２係合部と、を含み；該第１係合部の第１係合部材は、該第２係合部の第１係合部材と分離自在に係合し、該第１係合部の第２係合部材が該第２係合部の第２係合部材と分離自在に係合する。
【０００８】
本考案の一実施形態において、該第１袋体は、対向する第３側辺と第４側辺とを更に備え、該第２袋体が対向する第３側辺と第４側辺とを更に備え、且つ該第１袋体の第３側辺或いは第４側辺及び該第２袋体の第３側辺或いは第４側辺に第１開口部を設ける。
【０００９】
本考案の一実施形態において、前記鞄は、開閉アセンブリを更に含み、該開閉アセンブリが該第１開口部に開閉自在に設けられる。
【００１０】
本考案の一実施形態において、前記鞄は、２つの持ち手部を更に含み、該第１袋体が第１側面と第２側面とを更に備え、該第２袋体が第１側面と第２側面とを更に備え、且つ該２つの持ち手部は各々該第１袋体の第１側面及び該第２袋体の第１側面に設けられ、又は各々該第１袋体の第２側面及び該第２袋体の第２側面に設けられる。
【００１１】
本考案の一実施形態において、前記鞄は、ショルダーベルトを更に含み、該第１袋体が第１側面と第２側面とを更に備え、該第２袋体が第１側面と第２側面とを更に備え、且つ該ショルダーベルトが該第１袋体の第１側面或いは該第２袋体の第１側面に設けられ、又は該第１袋体の第２側面或いは該第２袋体の第２側面に設けられる。
【００１２】
本考案の一実施形態において、前記鞄は、第２開口部を更に含み、該第１袋体が第１側面と第２側面とを更に備え、該第２袋体が第１側面と第２側面とを更に備え、且つ該第２開口部が該第１袋体の第１側面或いは該第２袋体の第１側面に設けられ、又は該第１袋体の第２側面或いは該第２袋体の第２側面に設けられる。
【００１３】
本考案の一実施形態において、前記鞄は、第３係合部と第４係合部とを更に含み、該第１袋体が第１側面と第２側面とを更に備え、該第２袋体が第１側面と第２側面とを更に備え、且つ該第３係合部及び第４係合部が各々該第１袋体の第１側面及び該第２袋体の第１側面に設けられ、又は各々該第１袋体の第２側面及び該第２袋体の第２側面に設けられる。
【００１４】
本考案の一実施形態において、前記鞄は、ポケットを更に含み、該第１袋体が第１側面と第２側面とを更に備え、該第２袋体が第１側面と第２側面とを更に備え、且つ該ポケットが該第１袋体の第１側面或いは該第２袋体の第１側面に設けられ、又は該第１袋体の第２側面或いは該第２袋体の第２側面に設けられる。
【００１５】
本考案の一実施形態において、該第１結合部又は該第２結合部の内部には収容空間を有し、且つ該第２係合部が該第１結合部又は第２結合部の収容空間内に移動自在に設けられる。
【００１６】
本考案の一実施形態において、該連結部の内部には、収容空間を有する。
【００１７】
本考案の一実施形態中において、前記鞄は、バックル付バンドを更に含み、該第１袋体が第１側面と第２側面とを更に備え、該第２袋体が第１側面と第２側面とを更に備え、且つ該バックル付バンドが該第１袋体の第１側面或いは該第２袋体の第１側面に設けられ、又は該第１袋体の第２側面或いは該第２袋体の第２側面に設けられる。
【考案の効果】
【００１８】
従来技術に比べると、本考案に係る鞄は、使用者に実際のニーズに応じて攜帯のタイプを変えることができ、取り扱いも簡単で且つ便利で、収納可能な荷物も多種多様で、本や雑物以外に、ノートパソコン、更にはスケートボードも本考案に係る鞄に入れることができるため、用途の範囲も幅広い。
【図面の簡単な説明】
【００１９】
【図１ａ】本考案の例示的な実施例に係る鞄の一側面の展開図である。
【図１ｂ】本考案の例示的な実施例に係る鞄の他側面の展開図である。
【図２】本考案の例示的な実施例に係る鞄がリュックサックタイプの場合の上面図である。
【図３ａ】本考案の例示的な実施例に係る鞄がハンドバックタイプの場合の前面図である。
【図３ｂ】本考案の例示的な実施例に係る鞄がハンドバックタイプの場合の側面図である。
【図４ａ】本考案の例示的な実施例に係る鞄がリュックサックタイプの場合の前面図である。
【図４ｂ】本考案の例示的な実施例に係る鞄がリュックサックタイプの場合の側視図である。
【考案を実施するための形態】
【００２０】
以下、特定の具体的実施例を通じて本考案の実施形態を説明し、当業者は本明細書に開示されている内容から本考案その他の利点及び効果を容易に理解できる。
【００２１】
本明細書に添付する図面で示される構造、比例、サイズ等は、いずれも明細書に開示されている内容に合わせて当業者に理解及び閲覧させるために用いられているだけであって、本考案の実施可能範囲を限定するためのものではないため、技術上の実質的な意味を持たず、いかなる構造の修飾、比例関係の変更又はサイズの調整は、本考案で生じることができる効果及び達成できる目的に影響を及ぼさない場合において、均しく本考案で開示される技術内容でカバできる範囲内にある。同時に、本明細書の中で引用されている、例えば「上」、「内」、「外」、「底」及び「一」等といった用語も、単に記述の便宜のためのであって、本考案の実施可能範囲を限定するものではなく、その相対関係の変更又は調整は、実質的に技術内容を変更しないという前提において、本考案の実施可能範疇と見なすことが勿論である。この点につき、予め説明しておく。
【００２２】
図１ａ及び図１ｂを参照すると、図１ａ及び図１ｂは、各々本考案の例示的な実施例に係る鞄の対向する両側面が展開した構造を示す模式図である。図に示すように、本考案の例示的な実施例に係る鞄は、対向する第１側辺１ａと第２側辺１ｂとを備える第１袋体１と、対向する第１側辺２ａと第２側辺２ｂとを備える第２袋体２と、第１袋体１の対向する第１側辺１ａと第２袋体２の第１側辺２ａの間に連結する連結部３と、第１袋体１の第２側辺１ｂに形成され、結合部材４１１を備える第１結合部４１と、第２袋体２の第２側辺２ｂに形成され、結合部材４２１を備える第２結合部４２と、連結部３の対向両側に設けられる第１係合部５０と、第１結合部４１或いは第２結合部４２に設けられる第２係合部５１と、を含む。第１係合部５０は長さが一定のバックル付バンドとすることができ、第２係合部５１は長さを調整できるバックル付バンドとすることができる。
【００２３】
本考案の一例示的な実施例において、第１結合部４１の内部は、第２係合部５１を収容するための収容空間４１２を有することができ、これをもって第２係合部５１が収容空間４１２内に移動自在に調整することで、使用者がニーズを見て第２係合部５１を移動して長さを調整させることができる。その他の実施例において、収容空間も第２結合部４２に設けられることができる。このほかに、連結部３の内部は、収容空間（図示せず）を有することができ、連結部３に設けられる第１係合部５０も長さを移動自在に調整させることができる。
【００２４】
第１袋体１は、対向する第３側辺１ｃと第４側辺１ｄとを更に備え、第２袋体２が対向する第３側辺２ｃと第４側辺２ｄとを更に備え、且つ第１袋体１の第３側辺１ｃ又は第４側辺１ｄ及び第２袋体２の第３側辺２ｃ又は第４側辺２ｄに第１開口部１０１、第２開口部１０２及び第３開口部２０１を設ける。これ以外に、本考案の例示的な実施例に係る鞄は、開閉アセンブリ６１、６２、６３を更に含むことができ、開閉アセンブリ６１、６２、６３がファスナーセットとすることができ、ファスナーセットが各自一対の対応する務歯を包括することができ、各々第１開口部１０１、第２開口部１０２及び第３開口部２０１に設けて使用者が第１開口部１０１、第２開口部１０２及び第３開口部２０１を開く或いは閉めるために供される。
【００２５】
一例示的な実施例において、本考案は２つの持ち手部７１、７２を更に含むことができ、前記第１袋体１は第１側面１ｅと第２側面１ｆとを更に備え、第２袋体２が第１側面２ｅと第２側面２ｆとを備える。本実施例において、２つの持ち手部７１、７２は、各々第１袋体１の第１側面１ｅ及び第２袋体２の第１側面２ｅに設けられる。その他の実施例において、２つの持ち手部７１、７２は第１袋体１の第２側面１ｆ及び第２袋体２の第２側面２ｆにも各々設けられることができる。
【００２６】
本例示的な実施例において、第２結合部４２の結合部材４２１は、第１結合部４１の結合部材４１１と分離自在に結合できる。本例示的な実施例において、結合部材４１１、４２１は、各々互いに対応できる務歯であり、且つ両者がファスナーセットを構成し、本考案の鞄に図３ａ及び図３ｂに示すようにハンドバックタイプを形成させる。その他の実施例において、結合部材４１１、４２１は、例えばマジックテープのフックとループ構造システム（例えばＶｅｌｃｒｏのフックとループ構造）又はボタンとボタンホール或いは雄ボタンと雌ボタンとすることができるが、これに限定されるものではない。更に具体的に言うと、図３ａは、本考案の例示的な実施例に係る鞄がハンドバックタイプの場合の前面図で、図３ｂが本考案の例示的な実施例に係る鞄がハンドバックタイプの場合の側面図である。第１係合部５０は、対向両側に設けられる第１係合部材５０１と第２係合部材５０２とを備え、第２係合部５１が対向両側に設けられる第１係合部材５１１と第２係合部材５１２とを備え、第１係合部材５０１、５１１及び第２係合部材５０２、５１２は対応する雄バックル付バンド及び雌バックル付バンドとすることができる。本考案の鞄をハンドバックタイプに変更した場合、第１係合部５０の第１係合部材５０１と第２係合部５１の第１係合部材５１１が分離自在に係合し、第１係合部５０の第２係合部材５０２と第２係合部５１の第２係合部材５１２が分離自在に係合し、使用者は単に持ち手部７１又は７２を把持することによって本考案の鞄を持ち運ぶことができる。その他の例示的な実施例において、第２係合部５１は、対向両側の第１係合部材５１１及び第２係合部材５１２に設けられ、互いに係合する雄バックル付バンド及び雌バックル付バンドとすることで、使用者に斜め掛けさせる斜め掛け用ベルトを形成できる。
【００２７】
このほかに、図１ａ及び図３ａに示す実施例において、２つの持ち手部７１、７２は、第１袋体１の第２側辺１ｂ及び第２袋体２の第２側辺２ｂの近くに設けられることができるが、これに限られるものではなく、２つの持ち手部７１、７２は第１袋体１の第１側辺１ａ及び第２袋体２の第１側辺２ａの近くに設けられてもよい。この時、使用者がこの鞄を手で持った時、第１結合部４１と第２結合部４２の結合部材４１１、４２１が互いに結合したファスナーセットは下向きに変わり、連結部３が上向きになることで、使用者の使用に当たっての利便性が増す。
【００２８】
図１ａに示すように、本考案の別の実施例において、本考案に係る鞄は、第４開口部１０３を更に含み、第４開口部１０３が第１袋体１の第１側面１ｅに設けられことで、荷物を収納できる収容空間を更に増すことができる。その他の実施例において、第４開口部も第２袋体２の第１側面２ｅに設けることができる、若しくは第１袋体１の第２側面１ｆ或いは第２袋体２の第２側面２ｆに設けることができる。
【００２９】
図１ｂを再び参照すると、図に示すように、本考案に係る鞄は、ショルダーベルト８０を更に含むことができ、ショルダーベルト８０はシングルベルト又はダブルベルトとするができる。本実施例において、ショルダーベルト８０がダブルベルトを例として説明し、ショルダーベルト８０は前記第１袋体１ の第２側面１ｆに設けられることができる。これをもって、第１袋体１及び第２袋体２が各々第２側面１ｆ及び２ｆを互いに接触して重ね合わせた時、本考案に係る鞄は、前記図３ａで示すハンドバックタイプに変更された。逆に、第１袋体１及び第２袋体２が各々第１側面１ｅ及び２ｅを互いに接触させて重ね合わせた時、本考案に係る鞄は、図４ａに示すリュックサックタイプに変更された（後記を参照）。ただし、互いに第１側面１ｅ及び２ｅ、又は第２側面１ｆ及び２ｆを重ね合わせることを問わず、第１結合部４１と第２結合部４２の結合部材４１１、４２１で構成したファスナーセットは、互いに結合することで、全体的なハンドバック或いはリュックサックタイプを形成できる。本考案その他の例示的な実施例において、ショルダーベルト８０も前記第１袋体１の第１側面１ｅ又は第２袋体２の第１側面２ｅ、或いは第２袋体２の第２側面２ｆに設けられることができ、ここでその説明を省略する。
【００３０】
図２、図４ａ及び図４ｂを再び合わせて参照すると、図２は、本考案の例示的な実施例に係る鞄がリュックサックタイプの場合の上面図で、図４ａが本考案の例示的な実施例に係る鞄がリュックサックタイプの場合の前面図で、図４ｂが本考案の例示的な実施例に係る鞄がリュックサックタイプの場合の側面図である。本考案に係る鞄がリュックサックタイプの場合、第１係合部５０の第１係合部材５０１は、第２係合部５１の第１係合部材５１１と分離自在に係合し、第１係合部５０の第２係合部材５０２が第２係合部５１の第１係合部材５１２と分離自在に係合（図１ａ）し、使用者はショルダーベルト８０を通じて本考案のリュックサックを背負って使用できる。同時に、このリュックサックタイプは第１結合部４１と第２結合部４２との結合により、第１袋体１と第２袋体２が組み付けされるが、この時、第１側面１ｅ及び２ｅは僅か重ね合わせて接触するだけであって、緊結方式で密着されるものではなく、言い換えると、第１側面１ｅ及び２ｅの互いに重ね合わせる間に開放式収容空間が存在し、この収容空間は、使用者がスケートボード或いは工事青写真等のような比較的大型荷物を入れるために供される。
【００３１】
リュックサック形態の実施例において、本考案のリュックサックは、各々前記第１袋体１の第１側面１ｅ及び第２袋体２の第１側面２ｅに設けられる第３係合部９１と第４係合部９２とを更に含み、好ましくは第３係合部９１及び第４係合部９２は対応して係合する雄ボタンと雌ボタンとすることができ、スケートボードが第１側面１ｅと２ｅの間の開放式収容空間に入れられた時、相互係合を通じて第１側面１ｅ及び２ｅの密着度を増すことで、スケートボードを固定して抜け落ちにくくさせることができる。その他の例示的な実施例において、第３係合部９１及び第４係合部９２も前記第１袋体１の第２側面１ｆ及び第２袋体２の第２側面２ｆに各々設けられることができる。
【００３２】
これ以外に、本例示的な実施例において、ポケット（図示せず）を更に含むことができ、ポケットは、前記第１袋体１の第１側面１ｅに設けられることで、使用者に更に多くの荷物収納空間を提供する。その他の例示的な実施例において、ポケットは、前記第１袋体１の第２側面１ｆ、第２袋体２の第１側面２ｅ或いは第２側面２ｆに設けられることができる。
【００３３】
本例示的な実施例において、バックル付バンド２０２を更に含むことができ、バックル付バンド２０２を前記第１袋体２の第２側面２ｆに設けることができ、バックル付バンド２０２は使用者にスケートボード又は巻いた図面等の物品をその中に挿設させてバックル付バンド２０２の長さを調整することで、該物品を緊結させることができ、使用者に物品の持ち運びに１つの方式を増えさせ、若しくはスーツケースの取っ手をバックル付バンド２０２に挿設し、本考案に係る鞄をスーツケース上に固定させ、使用者に全体的に持ち運びに便利にさせる。
【産業上の利用可能性】
【００３４】
上記をまとめると、本考案に係る鞄は、第１袋体と第２袋体を異なる方向に重ね合わせる方式によってハンドバック又はリュックサックを形成し、使用者が斜め掛け、手持ち或いは背負うことができ、収容に要する荷物を見て定め、若しくは自分自身の装いに合わせて定め、その用途は多様で且つ取扱いにも便利で、鞄に対し異なるニーズがある者の使用に非常に適している。
【００３５】
上記実施例は、本考案の原理及びその効果を例示的に説明するためのものであり、本発明を限定して解釈するためのものではない。当業者は本考案の精神及び範囲とから外れることなく、上記実施例を修正することができる。よって本考案の権利保護範囲は、実用新案登録請求の範囲に記載される通りとする。
【符号の説明】
【００３６】
１    第１袋体
１ａ、２ａ    第１側辺
１ｂ、２ｂ    第２側辺
１ｃ、２ｃ    第３側辺
１ｄ、２ｄ    第４側辺
１ｅ、２ｅ    第１側面
１ｆ、２ｆ    第２側面
１０１    第１開口部
１０２    第２開口部
１０３    第４開口部
２    第２袋体
２０１    第３開口部
２０２    バックル付バンド
３    連結部
４１  第１結合部
４１１    結合部材
４１２    収容空間
４２  第２結合部
４２１    結合部材
５０  第１係合部
５１  第２係合部
５０１、５１１    第１係合部材
５０２、５１２    第２係合部材
６１、６２、６３  開閉アセンブリ
７１、７２    手提部
８０  ショルダーベルト
９１  第３係合部
９２  第４係合部
【図１ａ】
0003210325.tif 000003
【図１ｂ】
0003210325.tif 000004
【図２】
0003210325.tif 000005
【図３ａ】
0003210325.tif 000006
【図３ｂ】
0003210325.tif 000007
【図４ａ】
0003210325.tif 000008
【図４ｂ】
0003210325.tif 000009